(57)【特許請求の範囲】
【請求項１】
光源と、前記光源が搭載される器具本体と、前記光源から出射された光の配光を制御する光学部材と、を備えた照明器具であって、
前記光源は、マトリクス状又はライン状に配置された複数のＬＥＤを有し、
前記光学部材は、前記複数のＬＥＤの配光を列単位で制御するレンズ部を有し、
前記レンズ部は、前記ＬＥＤから出射された光が入射する凹溝状の入射部と、前記入射部と対峙する長尺状の出射部と、前記入射部及び出射部を長手方向に沿って接続し且つ前記入射部から入射した光を全反射する一対の反射部と、を夫々有し、
前記出射部は、その長手方向に沿う断面視において、連続した複数の凸面を有するように形成され、
前記複数の凸面が夫々前記ＬＥＤと対向する位置に設けられていることを特徴とする照明器具。
【請求項２】
前記複数のＬＥＤは、千鳥格子状に配置され、
複数の前記レンズ部が並列に配置されていることを特徴とする請求項１に記載の照明器具。
【請求項３】
前記光学部材は、別体として構成された第１部材及び第２部材を有し、
前記第１部材は、一方の外側列を含む１列以上のＬＥＤ、及び前記外側列よりも中央側にある中列のＬＥＤの一部に設けられる複数のレンズ部が一体化され、
前記第２部材は、他方の外側列を含む１列以上のＬＥＤ、及び前記中列のＬＥＤのうち前記第１部材が設けられていないＬＥＤに設けられる複数のレンズ部が一体化されていることを特徴とする請求項２に記載の照明器具。
【請求項４】
前記器具本体に固定される固定台を更に備え、
前記固定台は、前記第１部材及び第２部材における前記中列に対向する箇所を支持する支持部を有することを特徴とする請求項３に記載の照明器具。
【請求項５】
前記第１部材及び第２部材は、前記複数のＬＥＤの配光を列毎に制御する複数列のレンズ部と、前記複数のレンズ部を連結する連結部と、を夫々有する請求項４に記載の照明器具。
【請求項６】
前記光学部材が固定される取付台を更に備え、
前記第１部材及び第２部材は、前記連結部を介して前記取付台に夫々固定され
前記取付台が前記固定台に係止されることを特徴とする請求項５に記載の照明器具。
【請求項７】
前記光学部材は、前記器具本体に向けて立設された複数の脚部を更に有し、前記脚部を介して前記器具本体に固定されていることを特徴とする請求項１乃至請求項６に記載の照明器具。
【発明の詳細な説明】
【技術分野】
【０００１】
本発明は、ＬＥＤを光源とする照明器具に関する。
【背景技術】
【０００２】
ＬＥＤは、低電力で高輝度の発光が可能であり、しかも長寿命であることから、白熱灯や蛍光灯に代わる光源として注目されている。ＬＥＤ単体の発光により得られる照度は、ＨＩＤランプ等に比べて低い。そこで、ＬＥＤを光源とする照明器具において高照度を実現するには、複数のＬＥＤが用いられる。この種の照明器具として、矩形平板状のベースの一面にマトリクス状に配置された複数の光源ユニットを備えたものが知られている（例えば、特許文献１参照）。
【先行技術文献】
【特許文献】
【０００３】
【特許文献１】特開２００９−１２９８５９号公報
【発明の概要】
【発明が解決しようとする課題】
【０００４】
ところで、上述したような高照度の照明が可能な照明器具は、例えば、ナイター設備のあるグラウンドや競技場等を照明するアウルビーム照明への利用がなされている。このようなアウルビーム照明は、グラウンド等の近隣の住宅街に対して光が漏れないことを考慮して配光を決める必要がある。
【０００５】
そのため、アウルビーム照明用のＬＥＤ照明器具には、ＬＥＤから出射された光の配光を制御するための光学部材を用いる必要がある。また、一般に、アウルビーム照明においては、鉛直方向の配光を所定角度に制御するため、複数のＬＥＤがマトリクス状に配された照明器具では、ＬＥＤの配光を列毎に制御する複数の長尺状の光学部材が並列配置されて用いられる。
【０００６】
しかしながら、アウルビーム照明においても、鉛直方向の配光だけでなく、水平方向の配光を制御することが求められることがある。この場合、複数のＬＥＤを一括して配光制御する長尺状の光学部材ではなく、個々のＬＥＤに個別に光学部材を設ける必要がある。しかしながら、ＬＥＤ照明器具は、通常、高輝度対応のもの程、多数のＬＥＤが用いられ、それらのＬＥＤに個別に光学部材を配置してそれらを器具に固定することは、製造工程における手間が多く、生産性が悪い。
【０００７】
本発明は、上記課題を解決するものであって、鉛直方向だけでなく水平方向への配光を制御することができる光学部材を有し、しかも光学部材の取り付けが簡易で器具の生産性を良くすることができる照明器具を提供することを目的とする。
【課題を解決するための手段】
【０００８】
本発明は、光源と、前記光源が搭載される器具本体と、前記光源から出射された光の配光を制御する光学部材と、を備えた照明器具であって、前記光源は、マトリクス状又はライン状に配置された複数のＬＥＤを有し、前記光学部材は、前記複数のＬＥＤの配光を列単位で制御するレンズ部を有し、前記レンズ部は、前記ＬＥＤから出射された光が入射する凹溝状の入射部と、前記入射部と対峙する長尺状の出射部と、前記入射部及び出射部を長手方向に沿って接続し且つ前記入射部から入射した光を全反射する一対の反射部と、を夫々有し、前記出射部は、その長手方向に沿う断面視において、連続した複数の凸面を有するように形成され、前記複数の凸面が夫々前記ＬＥＤと対向する位置に設けられていることを特徴とする。
【発明の効果】
【０００９】
本発明の照明器具によれば、列状に配された複数のＬＥＤの配光を一括して制御するレンズ部により、照明器具の鉛直方向の配光を制御することができ、また、レンズ部の凸面により、照明器具の水平方向の配光を制御することができる。また、レンズ部は、列状に配された複数のＬＥＤの配光を一括して制御するので、このレンズ部を有する光学部材を器具本体に取り付ければよく、ＬＥＤ毎に個々の光学部材を取り付ける場合に比べて、光学部材の取り付けが簡易で器具の生産性を良くすることができる。
【図面の簡単な説明】
【００１０】
【図１】本発明の一実施形態に係る照明器具を発光面側から見た斜視図。
【図２】（ａ）は上記照明器具の光源ユニットの斜視図、（ｂ）は分解図。
【図３】（ａ）は上記光学部材を構成する第１部材の上面斜視図、（ｂ）は下面斜視図。
【図４】（ａ）は上記第１部材の長手方向の側断面図、（ｂ）は下面図、（ｃ）は長手方向の側面図、（ｄ）は上面図、（ｅ）は短手方向の側面図。
【図５】（ａ）は上記光学部材を構成する第２部材の上面斜視図、（ｂ）は下面斜視図。
【図６】（ａ）は上記第２部材の短手方向の側面図、（ｂ）は長手方向の側断面図、（ｃ）は上面図、（ｄ）は長手方向の側面図、（ｅ）は下面図。
【図７】上記第１部材のレンズ部の配光を示す光路図。
【図８】（ａ）は上記光源ユニットの固定台の上面斜視図、（ｂ）は下面斜視図。
【図９】（ａ）は上記光源ユニットの取付台の上面斜視図、（ｂ）は下面斜視図。
【図１０】凸面が形成されている実施例（中角レンズ）の光学部材、又は凸面が形成されていない比較例（広角レンズ）の光学部材を用いたときの水平方向の輝度分布を示す図。
【図１１】（ａ）は上記実施形態の変形例に係る照明器具の光源ユニット光学部材の上面斜視図、（ｂ）は下面斜視図。
【発明を実施するための形態】
【００１１】
本発明の一実施形態に係る照明器具について図１乃至図１０を参照して説明する。以下の実施形態において、本照明器具は、グランドや圃場等に対して光を投射するアウルビーム照明用の投光器であるものとして説明する。
【００１２】
図１に示すように、照明器具１は、複数の光源ユニット２と、これら光源ユニット２を一体に保持する保持枠３と、を備える。光源ユニット２の各々は、一面に発光面２Ａ（図１参照）を有する矩形平板状の光源２０と、光源２０が搭載される器具本体４と、光源２０の配光を制御する光学部材５と、を備える。器具本体４は、光源２０の発光面２Ａとは反対側の面に設けられた放熱部を有し、光源２０の発光に伴って生じた熱を外部に放熱する。なお、ここでは、複数の光源ユニット２を用いた構成を示すが、光源ユニット２は単体として用いられてもよく、この場合、光源ユニット２自体が照明器具１となる。
【００１３】
複数の光源ユニット２は、マトリクス状に配置され、光源２０の一辺と平行な行方向Ｌ（図例では横方向）に配置された光源ユニット２の数は、行方向Ｌに直交する列方向Ｃ（図例では縦方向）に配置された光源ユニット２の数以上となっている。図例では、行方向Ｌに３つの光源ユニット２が配置され、列方向Ｃに２つの光源ユニット２が配置された３ｘ２のマトリクス状となっている。列方向Ｃにおいて隣り合う光源ユニット２の間には、所定の隙間が設けられている。行方向Ｌにおいて隣り合う光源ユニット２は、互いに隣接して配置されている。
【００１４】
光源２０は、発光面２Ａ側に設けられた配線基板２１と、配線基板２１にマトリクス状に実装された複数のＬＥＤ２２（後述する図２（ｂ）も参照）と、を有する。ＬＥＤ２２は、例えば、青色光を出射する青色ＬＥＤチップと、この青色ＬＥＤチップを封止する封止材と、この封止材中に分散され青色光を黄色光に変換する蛍光体と、を有し、青色光と黄色光とを互いに混色させることで白色光を出射する。
【００１５】
器具本体４は、放熱部として、発光面２Ａに直交して設けられた複数の板状フィン４１を有する。これら板状フィン４１は、列方向Ｃと平行に並設されている。板状フィン４１は、熱伝導率及び剛性の高い材料、例えば、アルミニウムや銅により構成される。光源ユニット２は、器具本体４の内部又は外部に、電源ユニット（不図示）を備え、この電源ユニットが商用電源（不図示）に接続され、商用電源からＬＥＤ２２への給電を制御する点灯回路（不図示）を内蔵している。
【００１６】
図２（ａ）（ｂ）に示すように、光源ユニット２は、器具本体４に固定される固定台６と、光学部材５が固定される取付台７と、を更に備える。取付台７は、固定台６に係止されることで器具本体４に取り付けられる。複数のＬＥＤ２２は、３列以上のマトリクス状に配置されており、本例では、５列が設けられている。また、各列には、３個以上のＬＥＤ、本例では、４又は５個のＬＥＤ２２が含まれる。また、ＬＥＤ２２は、配線基板２１の中心部を除いて千鳥格子状となるように配置されている（特に、図２（ｂ）参照）。
【００１７】
図２（ｂ）に示すように、光学部材５は、別体として構成された第１部材５ａ及び第２部材５ｂを有する。第１部材５ａ及び第２部材５ｂは、後述するように、同一の配光特性を有し、ＬＥＤ２２から出射された白色光を透過させる透光性材料、例えば、透明ポリカーボネート樹脂、透明アクリル樹脂、又は透明ガラス等により構成される。
【００１８】
図２（ｂ）に示すように、第１部材５ａは、一方の外側列ＯＬ１を含む１列以上（本例では２列）のＬＥＤ２２、及び外側列ＯＬ１よりも中央側にある中列ＭのＬＥＤ２２の一部（本例では中列の図中右２個のＬＥＤ２２）に設けられている。また、第２部材は５ｂ、他方の外側列ＯＬ２を含む１列以上（本例では２列）のＬＥＤ２２、及び中列ＭのＬＥＤ２２のうち第１部材５ａが設けられていないＬＥＤ２２（本例では中列の図中左２個のＬＥＤ２２）に設けられている。
【００１９】
図３（ａ）（ｂ）及び図４（ａ）乃至（ｅ）に示すように、第１部材５ａは、複数のＬＥＤ２２の配光を列単位で制御する複数列のレンズ部５１，５２，５３と、それらのレンズ部５１〜５３を連結する一対の連結部５４ａ，５４ｂと、を有し、これらが一体化されている。レンズ部５１〜５３は、マトリクス状に配置されたＬＥＤ２２の列方向に沿う帯長形状に形成されている。
【００２０】
レンズ部５１は、外側列ＯＬ１のＬＥＤ２２に設けられ、レンズ部５２は、外側列ＯＬ１の内側の列のＬＥＤ２２に設けられ、レンズ部５３は、中列Ｍの一部のＬＥＤ２２に設けられる。本例においては、図２（ｂ）で示すように、ＬＥＤ２２が千鳥格子状に配置されており、外側列ＯＬ１のＬＥＤ２２が５個であり、その内側の列のＬＥＤ２２が４個である。そのため、図４（ｃ）に示すように、ＬＥＤ２２の配置に対応するように、外側列ＯＬ１のＬＥＤ２２に設けられるレンズ部５１は、その内側の列のＬＥＤ２２に設けられるレンズ部５２よりも長くなるように形成されている。なお、レンズ部５２は、レンズ部５１と同じ長さであってもよい。また、中列ＭのＬＥＤ２２に設けられるレンズ部５３は、中列Ｍの２個のＬＥＤ２２に設けられるので、レンズ部５２よりも更に短くなるように形成されている。
【００２１】
また、レンズ部５１〜５３は、夫々の出射面に長手方向に沿う断面視において、連続した複数の凸面５５を有する（特に、図２（ａ）及び図４（ａ）参照）。レンズ部５１〜５３は、その長手方向及びＬＥＤ２２の光軸の両方に直交する方向に軸を有するシリンダ形状部を内包し、その一部がレンズ部５１〜５３の出射面から突出し、上記シリンダ形状部の側面が凸面５５となる。また、連続した複数の凸面５５は、ＬＥＤ２２が千鳥格子状に配置されたＬＥＤ２２の位置に対応するように設けられている（特に、図２（ｂ）参照）。
【００２２】
一方の連結部５４ａは、レンズ部５１〜５３の片端部を接続する板状の部材として構成される。他方の連結部５４ｂは、レンズ部５１，５２の他方の片端部を接続する。これら連結部５４ａ，５４ｂには、ネジ頭を収容するザグリを有するネジ孔５６が設けられている。このネジ孔５６にネジ８１（図２（ａ）（ｂ）参照）が挿通されることにより、第１部材５ａは、取付台７に固定される。また、第１部材５ａは、レンズ部５３の連結部５４ａとは反対側の端部に形成され、光源部２０の中列Ｍと対向する平坦部５７を有する。
【００２３】
レンズ部５１は、ＬＥＤ２２から出射された光が入射する凹溝状の入射部５１ａと、入射部５１ａと対峙する長尺状の平坦な出射部５１ｂと、入射部５１ａ及び出射部５１ｂを接続し且つ入射部５１ａから入射した光を全反射する一対の反射部５１ｃ，５１ｄと、を有する（図４（ｅ）参照）。上述したように、出射部５１ｂに凸面５５が形成されている。レンズ部５２，５３もまた、レンズ部５１と同様の入射部、出射部、及び反射部を有する（対応する符号は不図示、後述する説明においても同様）。
【００２４】
入射部５１ａは、ＬＥＤ２２と対向する対向面が凸形状となるように形成されており、この対向面に入射した光の多くは、ＬＥＤ２２の光軸Ａｘ方向に配光制御されて、出射部５１ｂから出射される。また、入射部５１ａの側面に入射した光の多くは、反射部５１ｃ，５１ｄによって全反射されて、出射部５１ｂから出射される。また、反射部５１ｃ，５１ｄは、その短手方向の断面視において、非対称である。具体的には、外側列ＯＬ１側の反射部５１ｃが丸みのある放物線形状であるのに対して、中列Ｍ側の反射部５１ｄは反射部５１ｃに比べて平面的な形状である。
【００２５】
図５（ａ）（ｂ）及び図６（ａ）乃至（ｅ）に示すように、第２部材５ｂもまた、複数のＬＥＤ２２の配光を列毎に制御する複数列のレンズ部５１，５２，５３と、それらのレンズ部５１〜５３を連結する一対の連結部５４ａ，５４ｂと、連続した複数の凸面５５と、を有する。ここでは、レンズ部５１は、外側列ＯＬ２のＬＥＤ２２に設けられ、レンズ部５２は、外側列ＯＬ１の内側の列のＬＥＤ２２に設けられ、レンズ部５３は、中列Ｍの一部のＬＥＤ２２に設けられる。第１部材５ａは、連結部５４ａ，５４ｂにネジ孔５６が夫々設けられ、中列ＭのＬＥＤ２２に設けられるレンズ部５３の端部に平坦部５７が設けられている点も、上記と同様である。
【００２６】
図６（ａ）に示すように、第２部材５ｂは、レンズ部５１の反射部５１ｄが、中列Ｍ側の反射部５１ｄが丸みのある放物線形状であるのに対して、外側列ＯＬ２側の反射部５１ｃは反射部５１ｄに比べて平面的な形状である点において、第１部材５ａとは相違する。そのため、第１部材５ａ及び第２部材５ｂは、それらが組み合わされた状態で同じ配光特性を有する。すなわち、第１部材５ａ及び第２部材５ｂは、反射部５１ｃ，５１ｄの形状において異なっているので、別体として構成されていても、一つの光学部材５として機能することができる。
【００２７】
図７に示すように、第１部材５ａのレンズ部５１を例に挙げると、一方の反射部５１ｄは、反射部５１ｃに比べて平面的な形状なので、入射部５１ａの側面からレンズ部５１に入射した光を、ＬＥＤ２２の光軸Ａｘよりもよりレンズ中心方向へ反射させる。その結果、光軸Ａｘよりも所定角度傾斜した方向において、照明器具１（光源ユニット２）の最大光度を得られる器具光軸Ｌｘ方向の光束を増やすことができる。また、他方の反射部５１ｃは、ＬＥＤ２２の光軸Ａｘ方向と平行に光を反射させるので、器具上方へのグレア規制角度Ｇｘ（器具光軸Ｌｘから上方１０°）方向への光束を少なくすることができる。
【００２８】
図８（ａ）（ｂ）に示すように、固定台６は、矩形の枠体６０と、枠体６０の２辺から夫々２対立設されて取付台７と係合する係合爪６１と、を有する。固定台６は、例えば、ＡＢＳ樹脂等の堅牢な樹脂材料により形成される。固定台６は、枠体６０は、少なくともその一辺に凹部６２が形成されており、この凹部６２に、外部電源との接続端子（不図示）から導出されたリード線８０（図３（ａ）（ｂ）参照）が差し込まれて、リード線８０の端部が配線基板２１に接続される。
【００２９】
枠体６０の内側には、マトリクス状に配されたＬＥＤ２２の列に添って、複数の梁部６３が設けられている。梁部６３は、レンズ部５１〜５３の入射部５１ａの下端部と配線基板２１との間の隙間を埋め、それらの隙間からの光漏れを抑制する。また、梁部６３のうち、第１部材５ａ及び第２部材５ｂにおける中列Ｍに対向する中央寄り２本の梁部６３は、固定台６を器具本体４に固定するための固定部６４が設けられている。なお、図２（ｂ）に示したように、光源２０の中列Ｍの中央にはＬＥＤ２２が配されておらず、上記固定部６４に設けられたネジ孔に挿通されたネジ８２のネジ受け部となっている。
【００３０】
また、固定部６４の両側には、上述した第１部材５ａ及び第２部材５ｂの平坦部５７を支持する一対の支持部６５が設けられている。これらの支持部６５により、連結部５４ａに設けられたネジ孔５６から最も遠い、第１部材５ａ及び第２部材５ｂの中間位置が支持されるので、第１部材５ａ及び第２部材５ｂが安定的に保持される。その結果、ＬＥＤ２２の熱による第１部材５ａ及び第２部材５ｂの変形を抑制することができる。
【００３１】
図９（ａ）（ｂ）に示すように、取付台７は、第１部材５ａ及び第２部材５ｂのレンズ部５１〜５３が嵌め込まれる開口部７０を形成する枠部７１を有する。枠部７１は、レンズ部５１〜５３の出射部５１ｂと平行に形成された板状部材であり、例えば、アルミ等の金属材料により形成される。枠部７１には、固定台６の係合爪６１と係合する係合溝７２と、第１部材５ａ及び第２部材５ｂを固定するネジ８１（図２（ｂ）参照）が挿通されるネジ孔７３と、を有する。また、取付台７は、枠部７１から器具本体４に向けて立設された脚部７４を有する。この脚部７４により、固定台６と取付台７との間隔が一定に保持される。
【００３２】
枠部７１は、レンズ部５１〜５３の出射部５１ｂと平行に形成された板状部材である。レンズ部５１を例に挙げると、ＬＥＤ２２からの出射光が入射部５１ａの側面に入射して、反射部５１ｃ，５１ｄに到達した光は、その多くの入射角が臨界角よりも大きく、反射部５１ｃ，５１ｄで全反射する。しかしながら、入射角が上記臨界角より小さい光は、反射部５１ｃ，５１ｄを透過し、レンズ部５１〜５３外に漏れてしまう。ここで、本実施形態によれば、枠部７１は、レンズ部５１〜５３の出射部５１ｂと平行に形成されるので、反射部５１ｃ，５１ｄから出射した漏れ光を遮光する遮光部として機能する。これにより、所望の方向以外の方向へ光の照射を抑制することができる。
【００３３】
このような構成によれば、光学部材５を備えた光源ユニット２が、図１に示した照明器具１として用いられたとき、レンズ部５１〜５３の反射部５１ｃ，５１ｄにより、行方向Ｃの配光が制御される。従って、照明器具１の鉛直方向の配光を制御することができる。また、レンズ部５１〜５３の凸面５５により、列方向の配光が、集光的に制御される。従って、照明器具１の水平方向の配光を制御することができる。
【００３４】
図１０は、レンズ部５１〜５３に凸面５５が形成されている実施例（中角レンズ）の光学部材５と、凸面５５が形成されていない比較例（広角レンズ）の光学部材と、を夫々用いた照明器具１における水平方向の輝度分布を示す。同図に示すように、比較例では、配光角−７０°付近に緩やかな輝度ピークがあり、広角な配光が得られる。一方、実施例では、凸面５５が集光的に作用するので、配光角１０〜−３０°の範囲で、比較例より輝度が高くなっている。すなわち、凸面５５が形成されている光学部材５（実施例）では、器具光軸方向の輝度を高くすることができる。
【００３５】
また、光源ユニット２では、光学部材５が、別体である第１部材５ａ及び第２部材５ｂにより構成されており、第１部材５ａ及び第２部材５ｂは、夫々外側列ＯＬ１，ＯＬ２を含む１列以上のＬＥＤ、及び外側列よりも中央側にある中列ＭのＬＥＤの一部に設けられている。そのため、一列のＬＥＤのみに設けられる帯長状の光学部材に比べて、ＬＥＤ２２からの熱による変形が生じ難い。特に、本実施形態の第１部材５ａ及び第２部材５ｂは、２列半のレンズ部５１〜５３が連結部５４ａ，５４ｂにより接続されているので、レンズ部５１の長手方向に対しても、それに直交する方向に対しても変形し難い。また、レンズ部５１は、列状に配された複数のＬＥＤ２２の配光を一括して制御するので、このレンズ部５１を有する光学部材５を器具本体４に取り付ければよく、ＬＥＤ２２毎に個々の光学部材を取り付ける場合に比べて、光学部材５の取り付けが簡易で器具の生産性を良くすることができる。
【００３６】
また、光学部材５は、取付台７に固定された後、この取付台７を介して固定台６に係止されることで器具本体４に固定されるので、器具本体４から光学部材５の取り外しが容易であり、光学部材５のメンテナンスの手間を削減することができる。また、樹脂製の固定台６を用いることで、ＬＥＤ２２及び配線基板２１からの熱が光学部材５に伝わり難くなり、光学部材５の変形をより生じ難くすることができる。
【００３７】
また、光学部材５は、第１部材５ａ及び第２部材５ｂの間に所定の空隙Ｇが設けられるように、器具本体４に取り付けられている。この空隙Ｇから、配線基板２１及び光学部材５間の空気が排出されるので、放熱性を良くすることができる。その結果、光学部材５の変形をより生じ難くすることができる。従って、ＬＥＤ２２を高輝度で発光させて、多くの熱が発生しても、光学部材５は変形し難く、長期間に亘って、所望の配光特性を維持することができる。
【００３８】
次に、上記実施形態の変形例について、図１１を参照して説明する。本変形例では、ライン状の配されたＬＥＤに個別に設けられる光学部材５を有する構成を示す。図１１（ａ）（ｂ）に示すように、本変形例の光学部材５は、出射面に連続する複数の凸面５５を有する長尺状のレンズ部５８と、レンズ部５８の両端部に設けられた脚部５９を夫々有する。なお、脚部５９には、ネジ８１を挿通させるためのネジ孔５６が設けられており、光学部材５は、脚部５９を介して器具本体４（不図示）に夫々固定されている。
【００３９】
この変形例によれば、光源ユニット２（照明器具１）のＬＥＤの配置に応じて、適宜に光学部材５を取り付けることができ、光学部材５の汎用性を高めることができる。
【００４０】
なお、本発明に係る照明器具は、上記実施形態に限定されず種々の変形が可能である。例えば、上記実施形態では、ＬＥＤ２２が５列に配置された光源２０の構成を示したが、６列以上であってもよい。なお、第１部材５ａ及び第２部材５ｂの両方が半分ずつ設けられる中列Ｍは、本例のような１列に限らず、２列又はそれ以上であってもよい。また、光源ユニット２の配置は、上述した３ｘ２のマトリクス状に限定されず、例えば、４ｘ３や１０ｘ４のマトリクス状であってもよい。また、光源ユニット２は、好ましくは行方向に配置される数が列方向に配置される数よりも多くなるように構成される。こうすれば、光源ユニット２の発光に伴って生じた熱が上昇気流に乗って照明器具１の鉛直上方に抜け易くなって、放熱性を良くすることができる。これにより、照明器具１の過度の加熱を防いで、熱暴走による照明器具１の誤作動や故障を防止することができる。このような効果は、照明器具１を構成する光源ユニット２の数が多くて放熱性が低下する場合や、光源ユニット２の発光に伴う温度上昇が起こり易い投光器（照明器具１）のような高出力装置において特に重要となる。
【符号の説明】
【００４１】
１  照明器具
２  光源ユニット
２０  光源
２２  ＬＥＤ
４  器具本体
５  光学部材
５ａ  第１部材
５ｂ  第２部材
５１，５２，５３，５８  レンズ部
５１ａ  入射部
５１ｂ  出射部
５１ｃ，５１ｄ  反射部
５４ａ，５４ｂ  連結部
５５    凸面
５９  脚部
６  固定台
６５  支持部
７  取付台
【図１】
0006425066.tif 000002
【図２】
0006425066.tif 000003
【図３】
0006425066.tif 000004
【図４】
0006425066.tif 000005
【図５】
0006425066.tif 000006
【図６】
0006425066.tif 000007
【図７】
0006425066.tif 000008
【図８】
0006425066.tif 000009
【図９】
0006425066.tif 000010
【図１０】
0006425066.tif 000011
【図１１】
0006425066.tif 000012